(57)【要約】　　　（修正有）【課題】小型で液晶の劣化の少ない高歩留まりの液晶表示装置を提供する。【解決手段】素子基板全体を透明有機絶縁膜で覆い、従来、シールエリアの外側にあったドライバー回路をシールエリアより内側で、且つ画素エリアとの間に配置することで、シールエリアを横切る配線の数を従来よりも少なくし、液晶を劣化させる水分の流入を抑制した。更に、ドライバー回路上部に有機絶縁膜を挟んでコモン電位に固定されないシールド電極を設けた。【選択図】　　図３
2004004526.tif 000002
【特許請求の範囲】
【請求項１】
一対の基板間のシール材の内側に液晶が挟持されてなり、
前記一対の基板の一方の基板の前記シール材内側にはトランジスタと、前記トランジスタ上に絶縁膜を介して配置された画素電極と、前記トランジスタを駆動する複数の駆動回路と、前記各駆動回路を覆うように前記絶縁膜を介して配置された前記各駆動回路毎に独立した島状のコモン電位に固定されない遮光性導電膜とを具備することを特徴とする液晶表示装置。
【請求項２】
前記一方の基板上の前記シール材に対向する領域には前記絶縁膜が配置されていないことを特徴とする請求項１に記載の液晶表示装置。
【請求項３】
前記一対の基板の他方の基板上には前記画素電極及び前記駆動回路に対向する領域に配置された共通電極を具備することを特徴とする請求項１又は２に記載の液晶表示装置。
【請求項４】
前記絶縁膜は有機膜であることを特徴とする請求項１又は２に記載の液晶表示装置。
【発明の詳細な説明】
【０００１】
【発明の属する技術分野】
本発明は、アクティブマトリックス型液晶表示装置に関する。
【０００２】
【従来の技術】
従来の液晶表示装置の一例を図１を用いて説明する。
【０００３】
この図は液晶表示装置の外観図である。
【０００４】
ガラス、石英等の基板１０１上に画素エリア１０５を図１（ａ）のように配置し、この画素部の周辺に薄膜トランジスタの集積回路からなるドライバー回路１０３、１０４を配置している。対向基板１０２は、画素エリア１０５とドライバー回路１０３、１０４の間にその縁が位置するように、紫外線硬化樹脂等のシール材１０６により基板１０１に固定されている。また対向基板の透明電極の電位は導電性接着剤によって基板側のパッド１０７を通してコモン電位に固定されている。
【０００５】
これは素子基板１０１と対向基板１０２の間に封入されている液晶に水分等が流入するのをできるだけ避けるためであり、更にドライバー回路、或いはその周辺には電源と同じ電位持つ配線があるのでそれによって液晶に電界をかけないためである。
【０００６】
この図１のＡ−Ａ’の部分での構造断面図を図１（ｂ）に示した。基板１０１上に多結晶シリコン等による薄膜トランジスタ１１３が形成されている。薄膜トランジスタ、ソース配線、画素電極１１４は第２層間絶縁膜１２０に覆われてはいるが、画素電極１１４の上部は開孔されている。このトランジスタのゲート電極は最終的に終端部１１６でコンタクトホールを介して配線１１７に接続しており、配線１１７は対向基板端部より外側に形成されたトランジスタの集積回路からなるドライバー回路１０３と接続している。
【０００７】
対向基板１０２には透明電極１１１が全面に形成されており、紫外線硬化樹脂等のシール材１０６により基板に固定されている。基板１０１、対向基板１０２をポリイミド等の配向膜１１２で覆っている。
【０００８】
また図１のＢ−Ｂ’の部分での構造断面図を図１（ｃ）に示した。基板１０１上の第１層間絶縁膜１１９の上層に配線３０６が形成されており、これらは更に酸化シリコン等の第２層間絶縁膜１２０で覆われているが、パッド１０７上は開孔してある。この上にポリイミド等の配向膜１１２を塗布してある。このパッド１０７はコモン電位になるように配線されているので、この部分に導電性接着剤１１８を塗布し、対向基板１０２を圧着すると対向基板の対向電極１１１はこれによりコモン電位となる。
【０００９】
また図２はこの液晶表示装置の斜視図である。
【００１０】
このようにシール２０５を横切る配線は最低でもゲート線とソース線の数だけある。
【００１１】
【発明が解決しようとする課題】
しかしながら従来の技術では、ドライバー回路は対向基板の外部に配置されているため、パネル組立時にドライバー回路を破損し歩留まりを下げてしまうことがあった。またドライバー回路がシールエリア外部に配置されているため装置全体が大型になってしまっていた。
【００１２】
さらにドライバー回路がシールエリアより外部に配置されているため、シールエリアを横切る配線の数が画素数の２倍以上と多く、液晶を劣化させる水分等の流入の可能性があった。
【００１３】
【課題を解決するための手段】
本発明では第２層間絶縁膜に透明有機絶縁膜を用い、更にシールエリアの前記有機絶縁膜を剥離し、ドライバー回路は対向基板より内側でシールエリアと画素エリアの間に配置し、ドライバー回路上部に前記有機絶縁膜を挟んで、コモン電位に固定されない電極を設ける事を特徴とする。
【００１４】
【実施例】
以下実施例に基づいて本発明を詳しく説明する。
【００１５】
図３の（ａ）は本発明による液晶表示装置の一例の正面外観図である。素子基板３０１上に対向基板３０２が紫外線硬化樹脂等のシール材３０３によって固定され、液晶が封入されている。ドライバー回路３０４はシールエリアより内側に配置され、斜線の電極３０５によって覆われている。四隅の電極３０６は対向基板の対向電極に電位を与えるための導通をとるためのもので、その電位は導電性接着剤等を用いて素子基板の外部接続端子３０７から与えられる電位に固定される。
【００１６】
図３の（ｂ）は画素エリアからシールエリアにかけての構造断面図である。基板３０１上に画素駆動用薄膜トランジスタ３１３が形成されている。シールエリアと画素エリアの中程にはトランジスタの集積回路からなるドライバー回路３０４が配置されており、これら素子基板の画素エリアからドライバー回路上部までをポリイミド等の透明有機絶縁膜３１９によって覆っている。この透明有機絶縁膜の上にＩＴＯ３１４等の画素電極が形成されており、画素トランジスタのドレイン電極とコンタクトホール３１５を介して接続されている。またドライバー回路の上部の透明有機絶縁膜３１９の上に、ＩＴＯ等の画素電極と同一の透明電極３０５がドライバー回路を覆うように形成されている。
【００１７】
図３の（ｃ）は画素エリアからシールエリアにかけての構造断面図である。
【００１８】
対向基板３０２は、導電性接着剤３２０を通して透明有機絶縁膜上のＩＴＯ等の電極３０６に接続され、更にこの電極はその下部にあるコモン電位を持つ電極に接続されて、コモン電位に固定される。
【００１９】
なお上記有機絶縁膜３１９上のＩＴＯ電極３０５はドライバー回路３０４及びその配線のもつ局所的静電界を緩和し、液晶への影響を少なくできる。この電極材料にクロム等遮光性のある導電膜を用いれば、ドライバー回路の消費電流の増加を防ぐことができる。
【００２０】
この透明有機絶縁膜の膜厚は、この上に形成された画素電極３１４と信号線との容量結合を小さくするために１〜１０μｍ程度が有効である。
【００２１】
この場合の表示装置全体は図４の（ａ）に示したように従来の表示装置に比べドライバー回路がシールエリアより内側に配置されたためにドライバー回路の幅Ｄ１及びＤ２分だけ小型となっている。
【００２２】
また図４の（ｂ）にこの液晶表示装置の斜視図を示した。ドライバー回路４０４がシールエリア４０５より内側に配置されたためシールエリアを横切る配線の数は信号線、電源線等だけとなり、格段に少なくなっている。
【００２３】
【発明の効果】
本発明の液晶表示装置の構造をとることにより以下に述べる効果がある。
【００２４】
ドライバー回路を対向基板より内側に配置したことで装置全体が小型となり生産性が上がる。更にドライバー回路をシールエリアより内側に配置した事でシールエリア下部の凹凸が少なく封入された液晶への水分等の流入が減り、液晶の劣化を防ぐことができる。ドライバー上部に電極を設けたことにより、ドライバー回路部分からの電界の影響を軽減し、液晶の乱れの少ない表示が得られる。
【図面の簡単な説明】
【図１】従来の技術による液晶表示装置の構造を示す外観図。
【図２】従来の技術による液晶表示装置の構造を示す斜視図。
【図３】本発明による液晶表示装置の構造を示す断面図。
【図４】本発明による液晶表示装置の外観図及び斜視図。
【符号の説明】
１０１、２０１、３０１、４０１・・・素子基板
１０２、２０２、３０２、４０２・・・対向基板
１１３、２０７、３１３、４０７・・・画素駆動トランジスタ
１１６、３１６・・・画素駆動トランジスタのゲート電極、及びゲート配線
１０６、２０５、３０３、４０５・・・シールエリア
１０３、１０４、２０３、２０４、３０４、４０３、４０４・・・ドライバー回路
１１７、３１７・・・配線
１０５・・・画素エリア
１１４、３１４・・・画素電極
１１１、３１１・・・対向電極
３０５・・・ドライバー回路をシールドする電極
１０７、３０６・・・コモン電位を持つパッド
１１０、３１０・・・ブラックマトリックス
１１５、３１５・・・画素電極とのコンタクトホール
１１８、３１８・・・導電性接着剤
３１９・・・透明有機絶縁膜
１１２、３１２・・・配向膜
１１９・・・第１層間絶縁膜
１２０・・・第２層間絶縁膜
１０８、２０６、３０７、４０６・・・外部接続端子
【図１】
2004004526.tif 000003
【図２】
2004004526.tif 000004
【図３】
2004004526.tif 000005
【図４】
2004004526.tif 000006
【手続補正書】
【提出日】平成15年2月17日(2003.2.17)
【手続補正１】
【補正対象書類名】明細書
【補正対象項目名】００１３
【補正方法】変更
【補正の内容】
【００１３】
【課題を解決するための手段】
本発明は、一対の基板間のシール材の内側に液晶が挟持されてなり、前記一対の基板の一方の基板の前記シール材内側にはトランジスタと、前記トランジスタ上に絶縁膜を介して配置された画素電極と、前記トランジスタを駆動する複数の駆動回路と、前記各駆動回路を覆うように前記絶縁膜を介して配置された前記各駆動回路毎に独立した島状のコモン電位に固定されない遮光性導電膜とを具備することを特徴とする。また、前記一方の基板上の前記シール材に対向する領域には前記絶縁膜が配置されていないことを特徴とする。また、前記一対の基板の他方の基板上には前記画素電極及び前記駆動回路に対向する領域に配置された共通電極を具備することを特徴とする。また、前記絶縁膜は有機膜であることを特徴とする。